(57)【要約】【課題】  本発明は、各種イベント会場に設立されて、商品の案内やディスプレイに利用する展示ブースにおける柱又は梁などの骨組に利用するフレーム構造物、及びこのフレーム構造物に利用するアングル材に関するものである。【解決手段】  第一の長尺フレームと１この第一の長尺フレーム１から直角方向に向けて一体に連設した第二の長尺フレーム２と、上記第一、第二の長尺フレーム１、２の各外面端部に長手方向に沿って突出させた二条のリブ５、６と、この二条のリブ間５、６に当該リブ５、６に沿って形成した溝７とでアングル材を構成する。【選択図】  図１
2010158387.tif 000002
【特許請求の範囲】
【請求項１】
第一の長尺フレーム（１）と、この第一の長尺フレーム（１）から直角方向に向けて一体に連設した第二の長尺フレーム（２）と、上記第一、第二の長尺フレーム（１）、（２）の各外面端部に長手方向に沿って突出させた二条のリブ（５）、（６）と、この二条のリブ間（５）、（６）に当該リブ（５）、（６）に沿って形成した溝（７）とで構成されたことを特徴とするアングル材。
【請求項２】
第一の長尺フレーム（１）と、この第一の長尺フレーム（１）から任意の方向に向けて一体に連設した第二の長尺フレーム（２）と、上記第一、第二の長尺フレーム（１）、（２）の各外面端部に長手方向に沿って突出させた二条のリブ（５）、（６）と、この二条のリブ間（５）、（６）に当該リブ（５）、（６）に沿って形成した溝（７）とで構成されたことを特徴とするアングル材。
【請求項３】
第一、第二の長尺フレーム（１）、（２）の長手方向に沿って複数の係止孔（８）が等間隔で穿設されていることを特徴とした請求項１または請求項２に記載のアングル材。
【請求項４】
四隅に起立するアングル材（３）と、前後、左右に対向する上記アングル材（３）間に架設した化粧板（４）とからなるフレーム構造物において、上記アングル材（３）は、第一の長尺フレーム（１）と、この第一の長尺フレーム（１）から直角方向に向けて一体に連設した第二の長尺フレーム（２）と、上記第一、第二の長尺フレーム（１）、（２）の各外面端部に長手方向に沿って突出させた二条のリブ（５）、（６）と、この二条のリブ（５）、（６）間に当該リブ（５）、（６）に沿って形成した溝（７）とで構成され、上記対向するアングル材（３）の溝（７）内に板状の化粧板（４）を差し込んだことを特徴としたフレーム構造物。
【請求項５】
角柱の側辺部に起立する三本以上のアングル材（３）と、左右に対向する上記アングル材（３）間に架設した化粧板（４）とからなるフレーム構造物において、上記アングル材（３）は、第一の長尺フレーム（１）と、この第一の長尺フレーム（１）から任意の方向に向けて一体に連設した第二の長尺フレーム（２）と、上記第一、第二の長尺フレーム（１）、（２）の各外面端部に長手方向に沿って突出させた二条のリブ（５）、（６）と、この二条のリブ間（５）、（６）に当該リブ（５）、（６）に沿って形成した溝（７）とで構成され、上記対向するアングル材（３）の溝（７）内に板状の化粧板（４）を差し込んだことを特徴としたフレーム構造物。
【請求項６】
第一、第二の長尺フレーム（１）、（２）の長手方向に沿って複数の係止孔（８）が等間隔で穿設されていることを特徴とした請求項４または請求項５に記載のフレーム構造物。
【発明の詳細な説明】
【技術分野】
【０００１】
本発明は、各種イベント会場に設立されて、商品の案内やディスプレイに利用する展示ブースにおける柱又は梁などの骨組を構成するフレーム構造物、及びこのフレーム構造物に利用するアングル材に関するものである。
【背景技術】
【０００２】
従来から、各種イベントに参加する場合に、イベント環境や雰囲気を整え、商品やサービスの案内を良好にかつ効率よく行うために、商品を陳列したり、サービスの案内板などを設置したりする展示ブースが広く利用されている。
【０００３】
この展示ブースは、フレーム構造物を組み立てて柱又は梁として骨組が形成され、例えばこの骨組に、壁面や天井などが取り付けられて、他のブースや通路と区画したり、照明器具、棚板、看板、バンガー吊りなどが取り付けられたりする場合がある。
【０００４】
しかしながら、かかる従来の展示ブースに利用されるフレーム構造物は、多種多様の木製または金属（主に鋼材）製の柱および梁に釘を打ち付けて結合したり、ボルト、ナットを用いて結合したりしたものであるため、各材料の運搬、取り扱いが不便であるほか、その組み立て作業が煩雑で、作業効率が悪く、全体としてコスト高になるという不具合があった。
【０００５】
この不具合を解決するため、本出願人は、例えば特許文献１に開示されたようなフレーム構造物、及びこのフレーム構造物に利用するアングル材を開発している。
【０００６】
このフレーム構造物は、図６に示すように、四隅に起立する断面Ｌ字状のアングル材１５と、前後、左右に対向する上記アングル材１５間に架設した断面コ字状の化粧板１１とで構成されている。
【０００７】
まず、上記アングル材１５は、第一の長尺フレーム１６と、この第一の長尺フレーム１６から直角方向に向けて一体に連設した第二の長尺フレーム１７と、上記第一、第二の長尺フレーム１６、１７の長手方向に沿って等間隔で穿設された複数の係止孔１８とからなる。
【０００８】
次に、上記化粧板１１は、水平部１１ａとこの水平部１１ａの両側に設けた保持片１１ｂ、１１ｃとで断面コ字状に形成され、上記左右の保止片１１ｂ、１１ｃには、上記アングル材１５の上記各長尺フレーム１６、１７に設けた係止孔１８と対向する位置に挿通孔１２が設けられている。
【０００９】
次に、アングル材１５と化粧板１１とを一体的に固定するためのボルト１３は、その一端に設けたナット１４を螺合するためのボルト部１３ａと、このボルト部１３ａに一体的に垂設されて化粧板１１の外面に当接する係止部１３ｂと、この係止部１３ｂに一体的に垂設されると共に他端に位置するＬ字部１３ｃとからなる。
【００１０】
次に、上記アングル材１５と化粧板１１とを一体的に固定するための方法は、上記ボルト１３のＬ字部１３ｃを化粧板１１の挿通孔１２及びこれに対向するアングル材１５の係止孔１８に挿通し、このＬ字部１３ｃをアングル材１５の内側面に引っ掛ける。次に、上記ボルト１３のボルト部１３ａを他の挿通孔１２及びこれに対向する他の係止孔１８に挿通し、このボルト部１３ａにアングル材１５の内側からナット１４を螺合することによって行う。
【先行技術文献】
【特許文献】
【００１１】
【特許文献１】特開平１１−１１３６９７号  公報
【発明の概要】
【発明が解決しようとする課題】
【００１２】
上記従来のフレーム構造物、及びこれに利用するアングル材においては、機能上特に欠陥があるわけではないが、次のような不具合の改善が求められている。
【００１３】
即ち、上記従来のアングル材を利用したフレーム構造物においては、上述したとおり、化粧板の保止片に設けた挿通孔とアングル材の係止孔とを重ねて連通状態とし、この連通状態となった係止孔と挿通孔にボルトを挿通し、このボルトに螺着したナットを化粧板の裏側から締め付けることにより、アングル材と化粧板とを一体的に結合している。
【００１４】
このため、化粧板の構造が複雑となり加工が煩雑であるほか、アングル材と化粧板とを連結するためには、ボルト及びナットを必要とし、組み立てに使用する部品点数が多く、更に、ボルトを挿通してナットをねじ込んで固定するため、作業に手間がかかり、加工性、組立性、経済性に劣るという不具合があった。
【００１５】
そこで、本発明の目的は、化粧板に保止片や挿通孔を設ける必要がなく、化粧板とアングル材とを連結するためのボルトやナットも必要とせず、容易に化粧板を固定することが可能で、構造が単純なアングル材を提供すると共に、このアングル材を利用することにより加工性、組付性、経済性に優れたフレーム構造物を提供することである。
【課題を解決するための手段】
【００１６】
上記課題を解決するための手段は、アングル材を、第一の長尺フレームと、この第一の長尺フレームから直角方向に向けて一体に連設した第二の長尺フレームと、上記第一、第二の長尺フレームの各外面端部に長手方向に沿って突出させた二条のリブと、この二条のリブ間に当該リブに沿って形成した溝とで構成することである。
【００１７】
また、上記課題を解決するための第二の手段は、アングル材を、第一の長尺フレームと、この第一の長尺フレームから任意の方向に向けて一体に連設した第二の長尺フレームと、上記第一、第二の長尺フレームの各外面端部に長手方向に沿って突出させた二条のリブと、この二条のリブ間に当該リブに沿って形成した溝とで構成するとしてもよい。
【００１８】
上記の場合において、第一、第二の長尺フレームの長手方向に沿って複数の係止孔が等間隔で穿設されていることが好ましい。
【００１９】
また、四隅に起立するアングル材と、前後、左右に対向する上記アングル材間に架設した化粧板とからなるフレーム構造物において、上記アングル材は、第一の長尺フレームと、この第一の長尺フレームから直角方向に向けて一体に連設した第二の長尺フレームと、上記第一、第二の長尺フレームの各外面端部に長手方向に沿って突出させた二条のリブと、この二条のリブ間に当該リブに沿って形成した溝とで構成され、上記フレーム構造物を上記対向するアングル材の溝内に板状の化粧板を差し込んで構成することである。
【００２０】
また、角柱の側辺部に起立する三本以上のアングル材と、左右に対向する上記アングル材間に架設した化粧板とからなるフレーム構造物において、上記アングル材は、第一の長尺フレームと、この第一の長尺フレームから任意の方向に向けて一体に連設した第二の長尺フレームと、上記第一、第二の長尺フレームの各外面端部に長手方向に沿って突出させた二条のリブと、この二条のリブに当該リブに沿って形成した溝とで構成され、上記対向するアングル材の溝内に板状の化粧板を差し込んで構成するとしてもよい。
【００２１】
上記の場合において、第一、第二の長尺フレームの長手方向に沿って複数の係止孔が等間隔で穿設されていることが好ましい。
【発明の効果】
【００２２】
請求項１、２、４、５の発明によれば、アングル材が第一の長尺フレームと、この第一の長尺フレームから直角方向若しくは任意の方向に向けて一体に連設した第二の長尺フレームと、上記第一、第二の長尺フレームの各外面端部に長手方向に沿って突出させた二条のリブと、この二条のリブ間に当該リブに沿って形成した溝とで構成されることにより、上記溝に化粧板の端部を差し込むことのみによって、特別な部品を使用することなく容易に化粧板をアングル材に保持することが可能となる。
【００２３】
更には、各長尺フレームにそれぞれ二条のリブを突出させただけの構造であることから、アングル材の構造が単純で、アングル材の加工性において優れている。
【００２４】
このアングル材を利用してフレーム構造物を構成した場合にあっては、従来のように化粧板に保止片や挿通孔を設ける必要がなく、化粧板とアングル材とを連結するためのボルトやナットも必要としないことから、部品点数が少なく、構造が単純で、加工性、組付性、経済性に優れている。
【００２５】
また、請求項３、６の発明によれば、第一、第二の長尺フレームの長手方向に沿って複数の係止孔を等間隔で穿設することにより、上記フレーム構造物を柱又は梁としてイベント会場等の展示ブースを組み立てた場合には、この係止孔を利用して照明器具、棚板、看板、ハンガー吊りなどを容易に取り付けることが可能となる。
【００２６】
更には、請求項４の発明によれば、四隅に起立するアングル材の、前後、左右に対向する上記アングル材間に、上記対向するアングル材に設けた溝内に化粧板を差し込むことのみによって、四角柱状のフレーム構造物を容易に構成することが可能となる。
【００２７】
更には、請求項２、５の発明によれば、第一、第二の長尺フレームに対して二条のリブが突出する角度、及び第一、第二の長尺フレームのなす角度を調整することにより、二条のリブに化粧板をそれぞれ差し込んだ場合、この化粧板のなす角度を任意の角度に保持することが容易に可能となる。
【００２８】
そのため、このアングル材を利用してフレーム構造物を構成した場合にあっては、四角柱状に限らず、他の多角柱状にフレーム構造物を形成することが容易に可能である。
【図面の簡単な説明】
【００２９】
【図１】本発明の実施の形態を示すアングル材の部分斜視図である。
【図２】本発明に係わるアングル材を用いたフレーム構造物の部分斜視図である。
【図３】本発明に係わるアングル材を用いたフレーム構造物の一部拡大断面図である。
【図４】本発明の実施の形態を示すアングル材に、化粧板等の板状部材を固定した部分拡大断面図である。
【図５】本発明に係わるアングル材を用いたフレーム構造物を柱及び梁として利用した展示ブースの骨組である。
【図６】従来のアングル材を用いたフレーム構造物の斜視図である。
【発明を実施するための形態】
【００３０】
以下、本発明の実施の形態のアングル材について、図面を参照して詳細に説明する。いくつかの図面を通して付された同じ数字は、同じ部品か又はそれに対応する部品を示す。
【００３１】
図１は、本発明の実施の形態を示すアングル材の部分斜視図である。図４は、本発明の実施の形態を示すアングル材に、化粧板等の板状部材を固定した部分拡大断面図である。
【００３２】
図１に示すように、本発明のアングル材３は、第一の長尺フレーム１と、この第一の長尺フレーム１から直角方向に向けて一体に連設した第二の長尺フレーム２と、上記第一、第二の長尺フレーム１、２の各外面端部に長手方向に沿って突出させた二条のリブ５、６と、この二条のリブ間５、６に当該リブ５、６に沿って形成した溝７とで構成されている。
【００３３】
更に、第一、第二の長尺フレーム１、２の長手方向に沿って複数の係止孔８が等間隔で穿設されている。
【００３４】
本発明におけるアングル材３は、アングル材３の第一、第二の長尺フレーム１、２にそれぞれ二条のリブ５、６を突出させただけの構造であることから、構造が単純でアングル材３の加工性において優れている。
【００３５】
更には、上記構成を備えることにより、図４に示すように、各長尺フレーム１、２に設けた二条のリブ５、６の間に沿って形成した溝７に、化粧板４等の板状部材を差し込むことのみによって、容易に化粧板４等の板状部材をアングル材３に保持することが可能となる。
【００３６】
更に、各長尺フレーム１、２に対してリブ５、６を垂直に突出させた場合には、アングル材３の第一の長尺フレーム１に第二の長尺フレーム２が垂直に起立していることから、各化粧板４等の板状部材のなす角度を略垂直に保持することが容易に可能となる。
【００３７】
また、上記の場合において、各化粧板４等の板状部材のなす角度を垂直以外の角度に保持することもまた容易に可能となる。つまり、各化粧板４等の板状部材のなす角度（図４）を角度θ２とした場合、各長尺フレームの角度θ１（図４）を（１８０−θ２）度に設定すれば良い。但し、角度θ２は１８０度よりも小さい角度とする。
【００３８】
また、上記各化粧板４等の板状部材のなす角度θ２は、各長尺フレーム１、２に対してリブ５、６を斜めに突出させることによっても容易に調整することができる。
【００３９】
次に、上記構成を備えたアングル材３を利用したフレーム構造物Ａについて詳細に説明する。
【００４０】
図２は、本発明に係わるアングル材３を用いたフレーム構造物Ａの部分斜視図である。図３は、本発明に係わるアングル材３を用いたフレーム構造物Ａの一部拡大断面図である。
【００４１】
フレーム構造物Ａは、図２に示すように、四隅に起立する上記構成を備えたアングル材３と、前後、左右に対向する上記アングル材３間に架設した化粧板４とで構成されている。
【００４２】
アングル材３の構造は上述の通りであるため、ここでの詳細な説明については省略する。
【００４３】
上記フレーム構造物Ａは、図２、３に示すように、前後、左右に対向するアングル材３の溝７内に、板状の化粧板４を差し込んで中空の四角柱状に形成されており、その開口部の各辺には連結孔１１を有した連結板１０が設けられている。上記連結板１０の両端は、この両端に対向するアングル材３のそれぞれの上端に溶接固定されている。
【００４４】
さらに、上記フレーム構造物Ａの内側に位置し、上記前後、左右に対向するアングル材３、３間には、斜め若しくは横方向に複数の補強棒９が架設されており、これによりフレーム構造物Ａの強度を増している。
【００４５】
上記構成においては、従来のように化粧板４に保止片や挿通孔を設ける必要がなく、化粧板４とアングル材３とを連結するためのボルトやナットも必要とせず、容易に化粧板４をアングル材３に固定することが可能であり、部品点数が少なく構造が単純で、加工性、組付性、経済性に優れている。
【００４６】
また、四隅に起立して、前後、左右に対向するアングル材３に設けた溝７内に化粧板４を差し込むことのみによって、四角柱状のフレーム構造物Ａを容易に構成することが可能である。
【００４７】
更に、各長尺フレーム１、２に対してリブ５、６を垂直に突出させた場合には、アングル材３の第一、第二の長尺フレーム１、２のなす角度θ１（図３）を変更することにより、四角柱以外の角柱状にフレーム構造物Ａを形成することが容易に可能となる。
【００４８】
つまり、ｎ角形の角柱状にフレーム構造物Ａを形成する場合には、各長尺フレームの角度θ１（図３）を（３６０／ｎ）度に形成すればよい。
【００４９】
また、各長尺フレーム１、２に対してリブ５、６を斜めに突出することによっても、四角柱以外の角柱状にフレーム構造物Ａを形成することが容易に可能となる。
【００５０】
次に、上記構成を備えるフレーム構造物Ａを利用したイベント会場の展示ブースについて説明する。
【００５１】
例えば、上記フレーム構造物Ａを縦横に連結部材を介して組み立てることにより、図５に示すような展示ブースを構成することができる。図５は、本発明に係わるアングル材３を用いたフレーム構造物Ａを柱及び梁として利用した展示ブースの骨組である。
【００５２】
この場合においては、フレーム構造物Ａの長さや、連結板１０を設ける位置、補強棒９の数などを適宜選択し、フレーム構造物Ａを縦横に連結することにより、展示ブースの柱２３及び梁２４を構成している。
【００５３】
フレーム構造物Ａを直列に連結して柱２３を構成する場合、中空の角柱状に形成されているフレーム構造物Ａの相対向する開口に連結板１０をそれぞれ設け、これに各連結板１０に設けた連結孔１１を重ねてボルト等を挿通し、ボルト結合等によりフレーム構造物Ａ同士を固定する。
【００５４】
また、図５に示すように、フレーム構造物Ａを垂直に連結したり、斜めに連結したりして梁２４を構成する場合には、立方体状の連結部材２０や、三角柱状の連結部材２１を介して結合することができる。
【００５５】
即ち、各連結部材２０、２１に対向するフレーム構造物Ａの開口に連結板１０（図２）を設け、連結部材２０、２１の連結孔（図示せず）と連結板１０の連結孔１１（図２）とを対向させてボルト等を挿通し、ボルト結合等によりフレーム構造物Ａと各連結部材２０、２１とを連結する（図示せず）。
【００５６】
また、図５に示すように、アングル材３の長手方向に沿って穿設した係止孔８にジョイント２２を介して上記連結部材２０、２１をフレーム構造物Ａに連結することも可能である。
【００５７】
更には、上記アングル材３に設けた係止孔８を利用することにより、展示ブースの任意の位置に照明器具、棚板、看板、バンガー吊りなどを取り付けることが容易に可能である。
【００５８】
以上、本発明の好ましい実施の形態を詳細に説明したが、特許請求の範囲から逸脱することなく改造、変形及び変更が行うことができることは理解すべきである。
【００５９】
例えば、アングル材３の第一、第二の長尺フレーム１、２にそれぞれ設けた二条のリブ間５、６に形成された各溝７、７の幅は、同じでなくとも良く、上記各溝７、７に差し込む化粧板等の板状部材の厚みに合わせて適宜選択することができる。
【００６０】
また、上述したように、フレーム構造物Ａの長さや、連結板１０を設ける位置、補強棒９の数などを適宜選択するとすれば良く、上記各長尺フレーム１、２に設けた係止孔８や、フレーム構造物Ａの連結板１０若しくは補強棒９は、その必要性がない場合は設けなくても良い。
【００６１】
また、上記連結板１０は、この連結板１０の両端に対向するアングル材３のそれぞれの上端に溶接固定されるとしているが、連結部材１０をフレーム構造物Ａの下部に設ける場合には、アングル材３の下端にその両端を溶接固定すれば良く、また、溶接固定以外の方法によって固定するとしても良い。
【００６２】
また、上記フレーム構造物Ａにおいては、中空の四角柱状に形成するとしているが、上述したとおり、アングル材３の第一、第二の長尺フレーム１、２にそれぞれ差し込まれた化粧板４、４のなす角度θ２を調整することにより、四角柱状に限らず、他の角柱状に形成するとしてもよい。
【００６３】
また、上記アングル材３をアーチ状に形成し、これによってアーチ状のフレーム構造物Ｂ（図５）を構成するとしても良い。
【符号の説明】
【００６４】
Ａ  フレーム構造物
１、２  長尺フレーム
３  アングル材
４  化粧板
５、６  リブ
７  溝
８  係止孔
９  補強棒
１０  連結孔
１１  化粧板
１２  連通孔
１３  ボルト
１４  ナット
１５  アングル材
１６、１７  長尺フレーム
１８  係止孔
２０、２１  連結部材
２２  ジョイント
２３  柱
２４  梁
【図１】
2010158387.tif 000003
【図２】
2010158387.tif 000004
【図３】
2010158387.tif 000005
【図４】
2010158387.tif 000006
【図５】
2010158387.tif 000007
【図６】
2010158387.tif 000008